(57)【要約】【課題】キャスタを取り付けることなく移動可能なテレビジョン受像機用スタンドを提案せんとするものである。【解決手段】略平らな面の底面３ａを有するテレビジョン受像機用スタンドにおいて、この底面３ａの複数の所定位置に所定厚さの潤滑性のある受け座６を設けたものである。【選択図】図１
2007158391.tif 000002
【特許請求の範囲】
【請求項１】
略平らな面の底面を有するテレビジョン受像機用スタンドにおいて、
前記底面の複数の所定位置に所定厚さの潤滑性のある受け座を設けたことを特徴とするテレビジョン受像機用スタンド。
【請求項２】
請求項１記載のテレビジョン受像機用スタンドにおいて、
前記受け座は、ネオプレンの成形体の表面にフッ素樹脂シートを被着したものであることを特徴とするテレビジョン受像機用スタンド。
【請求項３】
請求項１又は２記載のテレビジョン受像機用スタンドにおいて、
前記受け座は、所定厚さの裁頭円錐形であることを特徴とするテレビジョン受像機用スタンド。
【請求項４】
請求項１、２又は３記載のテレビジョン受像機用スタンドにおいて、
前記底面の摩擦係数を小さくするようにしたことを特徴とするテレビジョン受像機用スタンド。
【請求項５】
請求項４記載のテレビジョン受像機用スタンドにおいて、
前記底面の摩擦係数を小さくするのに光沢塗装仕上げとするようにしたことを特徴とするテレビジョン受像機用スタンド。
【発明の詳細な説明】
【技術分野】
【０００１】
本発明は、大型のテレビジョン受像機、リアプロジェクションテレビジョン受像機を載置する移動可能なテレビジョン受像機用スタンドに関する。
【背景技術】
【０００２】
近年においては、テレビジョン受像機の大型化傾向に伴い、テレビジョン受像機用スタンドにテレビジョン受像機を載せたときの重量は、かなりな重さになる。
【０００３】
例えば５５インチのリアプロジェクションテレビジョン受像機をこのテレビジョン受像機用スタンドに載せたときの合計の重量が例えば１３０ｋｇとなる。
【０００４】
特にこのリアプロジェクションテレビジョン受像機においては、バックライトの交換が発生するため、容易にこのテレビジョン受像機一式を移動する手段が必要であり、従来は、このテレビジョン受像機一式を移動する手段として、図５及び特許文献１（特許文献１の図１参照）に示す如く、テレビジョン受像機１を載置するテレビジョン受像機用スタンド２の底板３の底面にキャスタ４を取り付けたものが使用されていた。
【特許文献１】特開平１１−２５３２４５号公報
【発明の開示】
【発明が解決しようとする課題】
【０００５】
然しながら、特許文献１及び図５に示す如き、キャスタ４が取付けられたテレビジョン受像機用スタンド２のキャスタ４はその車輪形状からフローリングの床にかかる荷重は、車輪と床が接する線状の部分に集中し、このフローリングの床に傷を付ける懸念があった。
【０００６】
また、毛足の長い例えば２０ｍｍ〜３０ｍｍの絨毯上を移動させるためには、車輪の大きな例えば直径７０ｍｍ〜８０ｍｍの車輪のキャスタ４を選択しなければ車輪の回転軸に絨毯の毛が巻き込まれ、絨毯を破損したり、毛が回転軸に巻き込まれキャスタ４の車輪が回転しなくなる等の不都合があった。
【０００７】
また、大きな車輪のキャスタ４を選択したときには、デザイン的にも制約を受ける不都合があった。
【０００８】
本発明は、斯かる点に鑑み、キャスタを取り付けることなく移動可能なテレビジョン受像機用スタンドを提案せんとするものである。
【課題を解決するための手段】
【０００９】
本発明テレビジョン受像機用スタンドは、略平らな面の底面を有するテレビジョン受像機用スタンドにおいて、この底面の複数の所定位置に所定厚さの潤滑性のある受け座を設けたものである。
【００１０】
また、本発明テレビジョン受像機用スタンドは、上述に更にこの底面の摩擦係数を小さくするようにしたものである。
【発明の効果】
【００１１】
本発明においては、テレビジョン受像機用スタンドをフローリング床やプラスチックタイル等の固い床の上において、移動させる場合、底面の複数の所定位置に所定厚さの潤滑性のある受け座が面接触しており、この複数の受け座が潤滑性があるので、適度な外力を加えることにより摺動して移動することができると共にこの複数の受け座が床に面接触しているので床面に傷を付けることがない。
【００１２】
また、本発明においては、テレビジョン受像機用スタンドを毛足の長い絨毯等の上において、移動させる場合は、摩擦係数の小さい底面及び複数の受け座の全体で絨毯等上に面接触しており、この底面及びこの複数の受け座が潤滑性があるので、適度な外力を加えることにより摺動して移動することができると共にこの底面及びこの複数の受け座が絨毯等に面接触しているので絨毯等を破損することなく、スムーズに移動することができる。
【発明を実施するための最良の形態】
【００１３】
以下、図１〜図３を参照して、本発明テレビジョン受像機用スタンドを実施するための最良の形態の例につき説明する。この図１において、図５に対応する部分には同一符号を付して示す。
【００１４】
図１Ａにおいて、１は大型のテレビジョン受像機、リアプロジェクションテレビジョン受像機等のテレビジョン受像機を示し、２はこのテレビジョン受像機１を載置するテレビジョン受像機用スタンドである。
【００１５】
このテレビジョン受像機用スタンド２は、従来同様にこのテレビジョン受像機用スタンド２の上面にテレビジョン受像機１を安定して載置する如くなされていると共にこのテレビジョン受像機用スタンド２にＤＶＤプレーヤ、ＣＤプレーヤ等を収納できる如くなされている。
【００１６】
本例においては、このテレビジョン受像機用スタンド２の底板３の底面３ａ即ち底板３の床５に対向する面が図１Ｂに示す如く略平らな面を有する木板により構成する。
【００１７】
本例においては、このテレビジョン受像機用スタンド２の底板３の底面３ａ即ち底板３の床５に対向する面に図１Ｂに示す如く、複数例えば６個の所定位置即ち底板３が安定して置ける位置に図２に示す如き所定厚さ例えば５ｍｍの潤滑性のある裁頭円錐形の受け座６を設ける。
【００１８】
この潤滑性のある裁頭円錐形の受け座６は図３に断面を示す如く、例えばネオプレン（デュポン社の登録商標）で裁頭円錐形に成形した成形体６ａの裁頭円錐形の底部を除く表面に厚さが例えば０.５ｍｍのフッ素樹脂シート６ｂを被着したものである。
【００１９】
このネオプレンで裁頭円錐形に成形した成形体６ａの裁頭円錐形の底部を除く表面に厚さが例えば０.５ｍｍのフッ素樹脂シート６ｂを被着するのに、加熱、加圧しながら接着するようにする。
【００２０】
この受け座６の床５に対向する側の直径を例えば４０ｍｍとし、この受け座６の裁頭円錐形の底部の底板３の底面側の直径を例えば５０ｍｍとし、外周のテーパーを例えば４５度とし、この受け座６の床５に対向する側の角部のアールを例えばＲ２とする如くする。
【００２１】
この受け座６をテレビジョン受像機用スタンド２の底板３の底面３ａに取り付けるのに、この受け座６の底板３の底面３ａの取付け部に図３Ａ、Ｂに示す如く、この底板３の底面３ａ側より、この受け座６の取付け部の大きさの深さ例えば２ｍｍの座ぐり３ｂを形成し、この座ぐり３ｂ内にこの受け座６のネオプレンの露呈した裁頭円錐形の底部を接着固定する（図３Ａ参照）。
【００２２】
この場合、図３Ｂに示す如く受け座６を取り付けるのにビス７で取り付けるようにしても良い。このときは、ビス７の頭部７ａで床５等を傷つけることがないように、図３Ｂに示す如く、この受け座６のビス取付け部に所定大きさの穴６ｃを形成し、この穴６ｃにビス頭部７ａを収納する如くする。
【００２３】
また、本例においては、この底板３の底面３ａの摩擦係数を小さくするようにする。本例においては、この底板３の底面３ａの摩擦係数を小さくするため、クリアラッカー等による光沢塗装仕上げを行う。この底板３の底面３ａを光沢塗装仕上げしたときはこの底面３ａの潤滑性が向上する。
【００２４】
また、テレビジョン受像機用スタンド２の底板３をガラス板、金属板等で構成しても良い。この場合、ガラス板のときは、透明なガラス板とし、金属板のときは底面を鏡面仕上げするようにすれば、摩擦係数を小さくすることができる。
【００２５】
本例によるテレビジョン受像機用スタンド２は上述の如く構成されているので、図１Ａに示す如く、フローリング床やプラスチックタイル等の固い床５の上において、移動させる場合、底板３の底面３ａの複数例えば６個の所定厚さの潤滑性のある受け座６が所定位置で面接触しており、この複数例えば６個の受け座６が潤滑性があるので、適度な外力を加えることにより摺動して移動することができると共にこの複数例えば６個の受け座６が床５に面接触しているので床面に傷を付けることなく移動できる。
【００２６】
また、本例によるテレビジョン受像機用スタンド２は上述の如く構成されているので、図４に示す如く、毛足の長い絨毯等５ａの上において、移動させる場合は、摩擦係数の小さい底板３の底面３ａ及びこの底板３の底面３ａの複数例えば６個の受け座６の全体で絨毯等５ａ上に面接触しており、この底板３の底面３ａ及びこの底板３の底面３ａの複数例えば６個の受け座６が潤滑性があるので、適度な外力を加えることにより摺動して移動することができると共にこの底板３の底面３ａ及びこの底板３の底面３ａの複数例えば６個の受け座６が絨毯等５ａに面接触しているので絨毯等５ａを破損することなく、スムーズに移動することができる。
【００２７】
また、本例においては、受け座６は、キャスタに比較して薄いためデザイン的な自由度が増すと共に構造が非常に簡単であるので壊れにくい利益がある。
【００２８】
尚、上述例においては、テレビジョン受像機用スタンド２の底板３の底面３ａに６個の受け座６を設けたが、このテレビジョン受像機用スタンド２の底板が３安定して置ける所定個数であれば良い。
【００２９】
また、本発明は上述例に限ることなく、本発明の要旨を逸脱することなく、その他種々の構成が採り得ることは勿論である。
【図面の簡単な説明】
【００３０】
【図１】本発明テレビジョン受像機用スタンドを実施するための最良の形態の例を示し、Ａは正面図、Ｂは底板の底面図である。
【図２】受け座の例を示す斜視図である。
【図３】受け座の例の断面図である。
【図４】本発明の説明に供する線図である。
【図５】従来のテレビジョン受像機用スタンドの例を示す斜視図である。
【符号の説明】
【００３１】
１…テレビジョン受像機、２…テレビジョン受像機用スタンド、３…底板、３ａ…底面、５…床、５ａ…絨毯等、６…受け座、６ａ…成形体、６ｂ…フッ素樹脂シート
【図１】
2007158391.tif 000003
【図２】
2007158391.tif 000004
【図３】
2007158391.tif 000005
【図４】
2007158391.tif 000006
【図５】
2007158391.tif 000007